(57)【要約】【課題】支柱のがたつきを防止できるスタンドを提供することにある。【解決手段】支柱部３は台座部２に対して回動可能に取り付けられるとともに、この支柱部３を台座部に対して起立させた状態で保持可能な固定リング４が設けられている。このような構成によれば、支柱部３を取り外さなくともスタンド１を重ね合わせて収納することができるから、収納スペースを節約できるとともに、支柱部３のがたつきを回避できる。また、支柱部３の外周面側にはＣリング４５が取り付けられており、このＣリング４５が固定リング４におけるリング収容部４３の内周面と支柱部３の外周面との間に介在することにより、支柱部３の遊動を規制するから、支柱部３のがたつきを確実に防止することができる。【選択図】  図７
2004205642.tif 000002
【特許請求の範囲】
【請求項１】
台座部と、前記台座部上に立設された支柱部とを備えたスタンドであって、前記支柱部が前記台座部に対して起立した状態と横臥した状態との間で変位可能に接続され、かつ、前記支柱部を前記台座部に対して起立させた状態で固定可能な固定部材が備えられていることを特徴とするスタンド。
【請求項２】
前記台座部には支持軸部が突設されると共に、その支持軸部に前記支柱部の下端が横軸型のヒンジピンによって回動可能に連結されることで前記支柱部が前記台座部に対して起立した状態と横臥した状態との間で変位可能に接続され、前記固定部材は、前記支柱部を前記台座部に対して起立させた状態で前記支柱部を内部に挿通しつつ前記支持軸部に嵌合されることで前記支柱部を起立状態に保持する固定リングであることを特徴とする請求項１のスタンド。
【請求項３】
前記支持軸部の外周部及び前記固定リングの内周部には互いに螺合するネジ部が形成されると共に、前記支柱部の外周面側には、前記固定リングが前記支持軸部に螺合されたときに前記固定リングの内周面と前記支柱部の外周面とで挟み付けられる遊動規制部材が設けられていることを特徴とする請求項２に記載のスタンド。
【請求項４】
前記遊動規制部材は前記支柱部の下端に取り付けられて前記支柱部を前記支持軸部に連結する連結部に一体的に設けた弾性部材を備えて構成されていることを特徴とする請求項３に記載のスタンド。
【発明の詳細な説明】
【０００１】
【発明の属する技術分野】
本発明は、スタンドに関する。
【０００２】
【従来の技術】
従来、宣伝広告用のパネルやバナー等を掲示するためのスタンドとしては、例えば特開平１０−３０１５１７号に開示されたものがある。このものは、円形のベース板と、このベース板上に立設された支柱と、支柱の上部に設けられてバナーを固定するための係止部とを備えている。この支柱の下端部における内周面には、雌ねじ部が形成されており、ベース板の裏面側から止めねじによってねじ止めされることにより、支柱がベース板に固定されている。
【０００３】
【特許文献１】
特開平１０−３０１５１７公報
【０００４】
【発明が解決しようとする課題】
ところが、このようなスタンドでは、長期間使用している間に支柱を止めている止めねじが緩むなどのために、支柱にがたつきを生じる場合があった。
【０００５】
また、スタンドを倉庫等に保管する際に、上記のような形状のスタンドでは重ね合わせて収納するといったことが困難であるため、収納スペースに無駄を生じてしまう。そこで、収納スペースを削減するため、使用者がベース板から支柱を取り外して保管を行う場合があった。このような場合には、再度スタンドの使用をする際に、使用者自ら支柱の取り付けを行う。しかし、使用者の手による取り付けでは、工場の生産ラインでの機械等による取り付けと比較して、止めねじの締め付けが充分に行われない場合が多い。このため、支柱のがたつきがいっそう起こり易くなるという問題があった。
【０００６】
本発明は、上記した事情に鑑みてなされたものであり、その目的は、支柱のがたつきを防止できるスタンドを提供することにある。
【０００７】
【課題を解決するための手段】
上記の課題を解決するために請求項１の発明に係るスタンドは、台座部と、前記台座部上に立設された支柱部とを備えたスタンドであって、前記支柱部が前記台座部に対して起立した状態と横臥した状態との間で変位可能に接続され、かつ、前記支柱部を前記台座部に対して起立させた状態で固定可能な固定部材が備えられていることを特徴とする。
【０００８】
請求項２の発明は、請求項１に記載のスタンドであって、前記台座部には支持軸部が突設されると共に、その支持軸部に前記支柱部の下端が横軸型のヒンジピンによって回動可能に連結されることで前記支柱部が前記台座部に対して起立した状態と横臥した状態との間で変位可能に接続され、前記固定部材は、前記支柱部を前記台座部に対して起立させた状態で前記支柱部を内部に挿通しつつ前記支持軸部に嵌合されることで前記支柱部を起立状態に保持する固定リングであることを特徴とする。
【０００９】
請求項３の発明は、請求項２に記載のスタンドであって、前記支持軸部の外周部及び前記固定リングの内周部には互いに螺合するネジ部が形成されると共に、前記支柱部の外周面側には、前記固定リングが前記支持軸部に螺合されたときに前記固定リングの内周面と前記支柱部の外周面とで挟み付けられる遊動規制部材が設けられていることを特徴とする。
【００１０】
請求項４の発明は、請求項３に記載のスタンドであって、前記遊動規制部材は前記支柱部の下端に取り付けられて前記支柱部を前記支持軸部に連結する連結部に一体的に設けた弾性部材を備えて構成されていることを特徴とする。
【００１１】
【発明の作用及び効果】
請求項１および請求項２の発明によれば、支柱部を台座部から取り外す等しなくても、固定部材を取り外して支柱部を台座部に対して横臥した状態とすることで、スタンドを重ね合わせて収納することができる。これにより、収納スペースを節約できる。また、使用の度に支柱の取り付け、取り外しを行う必要がないため、支柱部の台座部に対する接続部分の緩みに起因する支柱部のがたつきを回避できる。
【００１２】
請求項３の発明によれば、支柱部における外周面側には、固定リングの内周面と支柱部の外周面とで挟み付けられる遊動規制部材が設けられている。ここで、固定リングの取り付けの際に、固定リング内への支柱部の挿入をスムーズに行わせるために、固定リングの内径は支柱部に対して僅かに余裕を持って設計される場合が多い。すなわち、固定リングの内周面と支柱部の外周面との間には、僅かではあるが隙間が存在する。このために、スタンドの使用中に、固定リング内で支柱部ががたつく可能性がある。しかし、本発明の構成によれば、遊動規制部材がこの隙間に介在することにより、支柱部の遊動を規制するから、支柱部のがたつきを確実に防止することができる。
【００１３】
請求項４の発明によれば、遊動規制部材は支柱部の下端に取り付けた連結部に一体的に設けた弾性部材を備えて構成されている。このような構成によれば、固定部材を取り付ける際に、別に遊動規制部材の取り付けを行う必要がなく、また、遊動規制部材の取り付けを失念するといったようなこともない。このため、スタンドのセッティングを円滑に行うことができるとともに、支柱部のがたつき防止を確実に行うことができる。また、固定部材を取り外す際、あるいはスタンドの保管中などに、遊動規制部材が紛失されてしまうことを回避でき、保管に便利である。
【００１４】
【発明の実施の形態】
＜第１実施形態＞
以下、本発明の第１実施形態について、図１〜図７を参照しつつ詳細に説明する。
【００１５】
本実施形態のスタンド１は、台座部２上に支柱部３が回動可能に取り付けられるとともに、この支柱部３を起立状態で保持するための固定リング４（本発明の固定部材に該当する）が設けられたものである。なお、以下の説明において、台座部２からの支柱部３の立設方向（図１の上方）を上側として説明する。
【００１６】
台座部２は、例えばステンレスにより円盤状に形成されている。この台座部２の上面における中央位置には、ヒンジ金具５（本発明の支持軸部に該当する）が取り付けられている。ヒンジ金具５は、円盤状に形成されて台座部２上に固着されるフランジ部５２と、このフランジ部５２上に形成された本体部５３とを備えている。フランジ部５２における外周縁付近には、上下方向に貫通形成された３つのねじ穴５４が、１２０°間隔で設けられている（図２参照）。一方、台座部２の対応する位置にも３つのねじ穴（図示せず）が設けられており、これらのねじ穴に止めねじ５５をねじ付けることによってフランジ部５２が台座部２に固定されている。このように、ヒンジ金具５は３点以上で台座部２に固定されていることが好ましい。これは、ヒンジ金具５が２点で固定されていると、２箇所のねじ付け位置を通る線を軸としてヒンジ金具５がシーソー状にがたつくおそれがあるためである。
【００１７】
このフランジ部５２の上面側に設けられた本体部５３は、フランジ部５２よりもやや径小の円柱状をなし、フランジ部５２と同軸に設けられている。この本体部５３の外周面には、後述する固定リング４をねじ付けるための雄ねじ部５３Ａ（本発明のネジ部に該当する）が設けられている。本体部５３の上面には、上方に向かって突出する一対の軸受壁５６が間隔を空けて並列されている。この軸受壁５６には、それぞれ厚さ方向に貫通する軸受ねじ穴５７が設けられている。
【００１８】
支柱部３の下端には、この支柱部３をヒンジ金具５に連結するための連結部６が取り付けられている。この連結部６は、例えばゴムにより形成されており、支柱部３の内部に収容される円柱状の支柱受け部６１を備えている。支柱受け部６１の下端縁付近には、側ねじ穴６５が設けられており、一方、支柱部３の下端縁付近には、挿通孔３１が設けられている。支柱受け部６１に支柱部３が嵌め付けられた状態では、側ねじ穴６５と挿通孔３１は連通されており、ここにビス３２が取り付けられることによって支柱部３が抜け止め状態に固定されている。
【００１９】
支柱受け部６１の下端部は支柱部３の外径よりも一回り大きい径に拡径されて、支柱部３の下端縁を受ける円盤状の支柱止め部６２とされている。そして、この支柱止め部６２の下面側には、軸受部６３が突設されている。軸受部６３は、上下方向に長い板状に形成されて、上記した一対の軸受壁５６の間の空間に挿入可能とされている。軸受部６３には、厚さ方向に貫通する軸穴６４が設けられている。軸受部６３を軸受壁５６の間に挿入した状態では、軸受部６３の軸穴６４と軸受壁５６の軸受ねじ穴５７とが整合され、ここにヒンジピン５１が取り付けられる。これにより、連結部６がヒンジ金具５に回動自在に取り付けられる。このようにして、支柱部３が連結部６を介してヒンジ金具５に回動可能に取り付けられている。
また、支柱部３の上端側には、図示しないパネル等が取り付けられている。
【００２０】
固定リング４は、例えばステンレスにより略円筒状に形成されている。固定リング４の上側の開口付近は、支柱部３の外径よりも僅かに大きな内径の支柱挿通部４１とされており、内部に支柱部３を挿通可能とされている。この支柱挿通部４１の下端には、下方に向かってテーパ状に拡径された傾斜部４２が設けられており、この傾斜部４２に連続して、支柱挿通部４１よりもやや径大のリング収容部４３が設けられている。このリング収容部４３には、後述のＣリング４５を収容可能となっている。リング収容部４３の下方はさらに拡径されて、ヒンジ金具５の本体部５３とほぼ同じ径に形成された金具収容部４４とされている。金具収容部４４における下側の開口付近には、ヒンジ金具５の雄ねじ部５３Ａにねじ付け可能な雌ねじ部４４Ａ（本発明のネジ部に該当する）が設けられている。
【００２１】
この固定リング４は、支柱部３を台座部２に対して起立させた状態で、支柱部３を内部に挿通しつつ、雌ねじ部４４Ａをヒンジ金具５にねじ付けることでヒンジ金具５に固定されている。これにより、支柱部３を台座部２に対して起立させた状態で保持している。
【００２２】
この固定リング４と支柱部３との間には、Ｃリング４５（本発明の遊動規制部材に該当する）が装着されている。Ｃリング４５は、樹脂により断面Ｃ字状に形成されており、支柱部３の外周面を包囲するように装着されている。Ｃリング４５の上端及び下端には、それぞれ上方および下方へ向かって縮径する向きに傾斜する傾斜面４６が設けられている。Ｃリング４５の下端縁は連結部６の支柱止め部６２に突き当てられて、これによりＣリング４５の位置決めが図られている。このＣリング４５は、固定リング４が装着された状態で、支柱部３の外周面と固定リング４の内周面とで挟み付けられて、固定リング４内での支柱部３の遊動を規制している。
【００２３】
次に、上記のように構成された本実施形態の作用および効果について説明する。
【００２４】
スタンド１を使用しない場合には、固定リング４を取り外し、支柱部３を台座部２に対して横臥した状態として保管する（図３参照）。このようにすれば、台座部２から支柱部３を取り外す等しなくても、スタンド１を重ね合わせて収納することができ、収納スペースを節約できる。
【００２５】
スタンド１にパネル等を掲示させる場合には、まず、支柱部３を台座部２に対して垂直となるように起立させる（図４参照）。そして、Ｃリング４５を、支柱部３の下端縁付近に取り付け、その下端縁を連結部６の支柱止め部６２に突き当ることで位置決め状態に保持させる。
【００２６】
次いで、固定リング４を支柱部３の上端側から外挿し、下方へ押し下げる（図５参照）。固定リング４が支柱部３の下端位置まで達したら、固定リング４の雌ねじ部４４Ａをヒンジ金具５の雄ねじ部５３Ａにねじ付けることにより固定する。これにより、支柱部３が台座部２に対して起立した状態で回動不能に固定される（図６参照）。
【００２７】
固定リング４が正規位置に固定された状態では、Ｃリング４５は、その上側の傾斜面４６が固定リング４内の傾斜部４２に突き当たるようにしてリング収容部４３内に収容される。そして、支柱部３の外周面と固定リング４におけるリング収容部４３の内周面とで挟み付けられて、固定リング４内での支柱部３の径方向への遊動を規制する（図７参照）。これにより、支柱部３のがたつきが防止される。
【００２８】
以上のように本実施形態によれば、支柱部３は台座部２に対して回動可能に取り付けられるとともに、この支柱部３を台座部に対して起立させた状態で保持可能な固定リング４が設けられている。このような構成によれば、支柱部３を台座部２から取り外す等しなくても、固定リング４を取り外して支柱部３を台座部２に対して横臥した状態とすることで、スタンド１を重ね合わせて収納することができる。これにより、収納スペースを節約できる。また、使用の度に支柱部３の取り付け、取り外しを行う必要がないため、支柱部３の台座部２に対する接続部分の緩みに起因する支柱部３のがたつきを回避できる。
【００２９】
また、支柱部３の外周面側には、Ｃリング４５が取り付けられている。ここで、固定リング４の取り付けの際に、固定リング４内への支柱部３の挿入をスムーズに行わせるために、固定リング４の内周は支柱部３に対して僅かに余裕を持って設計されている。すなわち、固定リング４の内周面と支柱部の外周面との間には、僅かな隙間が存在する。しかし、本実施形態の構成によれば、Ｃリング４５が固定リング４におけるリング収容部４３の内周面と支柱部３の外周面との間に介在することにより、支柱部３の遊動を規制するから、支柱部３のがたつきを確実に防止することができる。
【００３０】
＜第２実施形態＞
以下、本発明の第２実施形態について、図８、図９を参照しつつ詳細に説明する。
【００３１】
本実施形態のスタンド７の第１実施形態との相違点は、連結部７０と一体に設けられたリング部７３（本発明の弾性部材に該当する）によって、支柱部３のがたつき防止が図られている点である。なお、本実施形態において、第１実施形態と同様の構成には同一の符号を付して説明を省略する。
【００３２】
本実施形態のスタンド７には、第１実施形態と同様の形状の台座部２および支柱部３が備えられている。台座部２には、第１実施形態と同様の形状をなすヒンジ金具５が設けられている。また、支柱部３の下端には、この支柱部３をヒンジ金具５に連結するための連結部７０が取り付けられている。
【００３３】
このヒンジ金具５に取り付けられる連結部７０は、例えばゴムにより形成されている（図８参照）。この連結部７０には、支柱部３の外径よりも一回り大きな径に形成されて支柱部３の下端縁を受ける略円盤状の支柱止め部７２が備えられている。この支柱止め部７２における上面側（支柱部３との当接面側）には、この支柱止め部７２の外周縁が、全周に渡って支柱部３の外周面に沿って軸方向に延出されることより、円筒容器状のリング部７３（本発明の弾性部材に該当する）が形成されている。また、リング部７３の周壁には、側ねじ穴７４が厚さ方向に貫通して設けられている。この側ねじ穴７４は、支柱部３の下端部がリング部７３に収容された状態で、支柱部３の挿通孔３１と連通されており、ここにビス７５が取り付けられることによって支柱部３が抜け止め状態に固定されている。また、リング部７３における外壁の上側半分には、上方へ向かって縮径する向きに傾斜したテーパ面７３Ａが設けられている。
【００３４】
そして、この支柱止め部６２の下面側には、第１実施形態と同様の形状の軸受部７１が備えられ、この軸受部７１がヒンジピン５１によりヒンジ金具５に連結されることによって、連結部７０がヒンジ金具５に回動自在に取り付けられている。これにより、支柱部３が連結部６を介してヒンジ金具５に回動可能に取り付けられる。
【００３５】
また、支柱部３を起立状態で固定するための固定リング７６は、例えばステンレスにより略円筒状に形成されている。固定リング７６の上側の開口付近は、支柱部３の外径よりも僅かに大きな内径の支柱挿通部７７とされており、内部に支柱部３を挿通可能とされている。この支柱挿通部７７の下側には、支柱挿通部７７よりもやや径大に形成されたリング収容部７８が設けられており、ここには連結部７０のリング部７３を収容可能とされている。このリング収容部７８の上側半分は、リング部７３のテーパ面７３Ａに沿うように、上方へ向かって縮径する向きに傾斜したテーパ部７８Ａとされている。また、リング収容部７８の下側はさらに拡径されて、第１実施形態と同様に雌ねじ部７９Ａを備えた金具収容部７９とされている。
【００３６】
スタンド７にパネル等を掲示する場合には、第１実施形態と同様に、支柱部３を台座部２に対して垂直となるように起立させる。次いで、固定リング７６を支柱部３の上端側から外嵌し、下方へ押し下げる（図５参照）。固定リング７６が支柱部３の下端位置まで達したら、固定リング７６の雌ねじ部７９Ａをヒンジ金具５の雄ねじ部５３Ａにねじ付けることにより固定する。これにより、支柱部３が台座部２に対して起立した状態で回動不能に固定される。
【００３７】
固定リング７６が正規位置に固定された状態では、リング部７３は、そのテーパ面７３Ａが固定リング７６内のテーパ部７８Ａに当たるようにしてリング収容部７８に収容される。そして、支柱部３の外周面と固定リング７６の内周面とで挟み付けられて、固定リング７６内での支柱部３の径方向への遊動を規制する（図９参照）。これにより、支柱部３のがたつきが防止される。
【００３８】
以上のように本実施形態によれば、第１実施形態と同様の作用効果を奏することができる。また、リング部７３が連結部７０と一体に設けられているから、第１実施形態のようにＣリング４５が別に設けられている場合に比べ、固定リング７６を取り付ける際に、別にＣリング４５の取り付けを行う必要がなく、また、Ｃリング４５の取り付けを失念するといったようなこともない。このため、スタンド７のセッティングを円滑に行うことができるとともに、支柱部３のがたつき防止を確実に行うことができる。また、固定リング７６を取り外す際、あるいはスタンド７の保管中などに、Ｃリング４５が紛失されてしまうことを回避でき、保管に便利である。
【００３９】
＜第３実施形態＞
以下、本発明の第３実施形態について、図１０〜図１３を参照しつつ詳細に説明する。
【００４０】
本実施形態のスタンド８の第１実施形態との相違点は、連結部８０と一体に設けられた羽根部８４によって、支柱部３のがたつき防止が図られている点である。なお、本実施形態において、第１実施形態と同様の構成には同一の符号を付して説明を省略する。
【００４１】
本実施形態のスタンド８には、第１実施形態と同様の形状の台座部２および支柱部３が備えられている。台座部２には、第１実施形態と同様の形状をなすヒンジ金具５が設けられている。また、支柱部３の下端には、この支柱部３をヒンジ金具５に連結するための連結部８０が取り付けられている。
【００４２】
このヒンジ金具５に取り付けられる連結部８０は、例えばゴムにより形成されている（図８参照）。この連結部８０には、支柱部３の外径よりも一回り大きな径に形成されて支柱部３の下端縁を受ける略円盤状の支柱止め部８２が備えられている。この支柱止め部８２における上面側（支柱部３との当接面側）における中心位置には、円柱状に形成されて支柱部３の内部に嵌合可能な円柱状の支柱受け部８３が設けられている。支柱受け部８３の下端縁付近には、第１実施形態と同様に側ねじ穴８５が設けられている。支柱受け部８３に支柱部３が嵌め付けられた状態では、第１実施形態と同様に側ねじ穴８５と支柱部３の挿通孔３１が連通されており、ここにビス８６が取り付けられることによって支柱部３が抜け止め状態に固定されている（図１２参照）。
【００４３】
また、支柱止め部８２における楕円の長径側の両端部には、支柱部３の外周面に沿って軸方向に延出される一対の羽根部８４（本発明の弾性部材に該当する）が設けられている。
【００４４】
そして、この支柱止め部８２の下面側には、第１実施形態と同様の形状の軸受部８１が備えられ、この軸受部８１がヒンジピン５１によりヒンジ金具５に連結されることによって、連結部８０がヒンジ金具５に回動自在に取り付けられている。これにより、支柱部３が連結部８０を介してヒンジ金具５に回動可能に取り付けられる。
【００４５】
また、支柱部３を起立状態で固定するための固定リング８７は、例えばステンレスにより略円筒状に形成されている。固定リング８７の上側の開口付近は、支柱部３の外径よりも僅かに大きな内径の支柱挿通部８８とされており、内部に支柱部３を挿通可能とされている。この支柱挿通部８８の下側には、支柱挿通部８８よりもやや径大に形成された羽根収容部８９が設けられており、ここには連結部７０の羽根部８４を収容可能とされている。また、羽根収容部８９の下側はさらに拡径されて、第１実施形態と同様に雌ねじ部９０Ａを備えた金具収容部９０とされている。
【００４６】
スタンド８にパネル等を掲示される場合には、第１実施形態と同様に、支柱部３を台座部２に対して垂直となるように起立させる。次いで、固定リング８７を支柱部３の上端側から外嵌し、下方へ押し下げる。固定リング８７が支柱部３の下端位置まで達したら、固定リング８７の雌ねじ部４４Ａをヒンジ金具５の雄ねじ部５３Ａにねじ付けることにより固定する。これにより、支柱部３が台座部２に対して起立した状態で保持される。
【００４７】
固定リング８７が正規位置に固定された状態では、羽根部８４は、固定リング８７内の羽根収容部８９に収容され、支柱部３の外周面と固定リング８７の内周面とで挟み付けられて、固定リング８７内での支柱部３の遊動を規制する（図１３参照）。これにより、支柱部３のがたつきが防止される。
【００４８】
以上のように本実施形態によれば、上記実施形態と同様の作用効果を奏することができる。また、羽根部８４が連結部８０と一体に設けられているから、第２実施形態と同様、スタンド８のセッティングを円滑に行うことができるとともに、保管に便利である。
【００４９】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本実施形態のスタンド１、７、８は、パネル等を掲示するためのものであったが、本発明を適用可能なスタンドの種類としては特に制限はなく、マイクを指示するマイクスタンド、パナーを掲示するためのバナースタンド、案内表示のためのポールサイン等、様々な種類のスタンドに適用することが出来る。
（２）第１実施形態では、規制部材としてＣリング４５を用いているが、本発明によれば規制部材の種類は本実施形態に限るものではなく、例えばゴム等の弾性部材により形成されたＯリングであっても良い。
【図面の簡単な説明】
【図１】第１実施形態のスタンドの分解斜視図
【図２】第１実施形態のスタンドにおけるヒンジ金具の上面図
【図３】第１実施形態のスタンドにおいて支柱部を横臥状態とした部分拡大斜視図
【図４】第１実施形態のスタンドにおいて支柱部を起立状態とした部分拡大斜視図
【図５】第１実施形態のスタンドにおける固定リングの嵌め付け前の側断面図
【図６】第１実施形態のスタンドにおける固定リングの嵌め付け後の部分拡大斜視図
【図７】第１実施形態のスタンドにおける固定リングの嵌め付け後の側断面図
【図８】第２実施形態のスタンドにおける連結部に支柱部を取り付ける様子を示す部分拡大斜視図
【図９】第２実施形態のスタンドにおける固定リングの嵌め付け後の側断面図
【図１０】第３実施形態のスタンドにおける連結部に支柱部を取り付ける様子を示す部分拡大斜視図
【図１１】第３実施形態のスタンドにおける連結部の上面図
【図１２】第３実施形態のスタンドにおける連結部に支柱部を取り付けた様子を示す部分拡大斜視図
【図１３】第３実施形態のスタンドにおける固定リングの嵌め付け後の側断面図
【符号の説明】
１、７、８…スタンド
２…台座部
３…支柱部
４…固定リング（固定部材）
５…ヒンジ金具（支持軸部）
４４Ａ、７９Ａ、９０Ａ…雌ねじ部（ネジ部）
４５…Ｃリング（遊動規制部材）
５１…ヒンジピン
５３Ａ…雄ねじ部（ネジ部）
７３…リング部（弾性部材）
８４…羽根部（弾性部材）
【図１】
2004205642.tif 000003
【図２】
2004205642.tif 000004
【図３】
2004205642.tif 000005
【図４】
2004205642.tif 000006
【図５】
2004205642.tif 000007
【図６】
2004205642.tif 000008
【図７】
2004205642.tif 000009
【図８】
2004205642.tif 000010
【図９】
2004205642.tif 000011
【図１０】
2004205642.tif 000012
【図１１】
2004205642.tif 000013
【図１２】
2004205642.tif 000014
【図１３】
2004205642.tif 000015